(57)【要約】【課題】乳児を寝かしつける際に、横抱きにした乳児の頭と乳児の頭を支える保護者の腕との間に介在させる乳児寝かしつけ用兼用枕。【解決手段】吸湿性素材よりなる表側地及び裏側地により長方形の布地袋を形成し、概長方形の長辺中央を結ぶ中心線を折り目線として二つの袋状部とし、一方の袋状部に充填物が充填された半環状の凸部を形成し、裏側地の各対向短辺に沿って相互に掛け止め可能な掛け止め材を設け、長方形の布地袋を二つ折りして掛け止め可能にした乳児寝かしつけ用枕。【選択図】図１
0003134780.tif 000002
【実用新案登録請求の範囲】
【請求項１】
表側地に吸湿性素材よりなる布地を用いて、表側地及び裏側地により長方形の布地袋を形成し、概長方形の布地袋の対向する長辺中央部を結ぶ中心線を折り目線として二つの袋状部とし、一方の袋状部に折り目線に沿い乳児頭部載置部を囲み充填物が充填された半環状の凸部を形成し、裏側地の折り目線の対向短辺に沿って相互に掛け止め可能な掛け止め具を複数個設け、表側地を表面として折り目線において布地袋を２つ折りに折り曲げ、掛け止め可能にした乳児寝かしつけ用枕。
【請求項２】
半環状凸部に充填する充填物が、軟質合成樹脂充填物である請求項１に記載の乳児寝かしつけ用枕。
【請求項３】
半環状凸部に充填する充填物が、吸湿性を有する中綿素材である請求項１に記載の乳児寝かしつけ用枕。
【請求項４】
長方形の布地袋に設けられた掛け止め具がベルベットファスナーである請求項１、請求項２、または請求項３に記載の乳児寝かしつけ用枕。 
【考案の詳細な説明】
【技術分野】
【０００１】
本考案は、生後間もない新生児から1歳児ぐらいまでの乳児を抱いて寝かしつける際に、横抱きにした乳児の頭と乳児の頭を支える保育者の腕との間に介在させる寝かしつけ用枕に関する。
【背景技術】
【０００２】
新生児の眠りは動睡眠（レム睡眠）と静睡眠（ノンレム睡眠）の二種類である。特に、新生児は浅い眠りの動睡眠が多いため、睡眠環境などの変化によりきわめて覚醒しやすい。新生児を横抱きにして寝かしつけた場合、新生児を寝具に寝かせるために寝具上に置き換えた時に環境変化により新生児が覚醒する場合が多い。人間は、寝る時、自律神経の働きにより体温が低下する。新生児も同様に寝付く時、四肢や頭頚部などから熱を発散し体温を下げる。新生児は腎機能の発育も未熟なため、寝付く時には多量の発汗をする。そのため、授乳用腕カバーとして、授乳者が腕を通すための筒状部材〈特許文献１〉や、授乳時に使用する扁平状乳児枕〈特許文献２〉、面ファスナーを取り付けて、腕に巻きつける乳児用簡易腕枕〈特許文献３〉が提案されている。しかしながら、寝入った新生児を横抱きの状態を保ちながら覚醒させることなく寝具に寝かせる配慮のなされた用具は知られていない。
【特許文献１】特開２００２−２３５２２０号公報
【特許文献２】実開昭６３−１８５６７１号公報
【特許文献３】実用新案公報第３０４０４５１号
【考案の開示】
【考案が解決しようとする課題】
【０００３】
新生児は眠りが浅いため、生後半年ぐらいから夜間に覚醒し、夜泣きとなることが多い。夜泣き時に苦労して抱いて眠らせた後、寝具に寝かしつけようとする場合、寝かしつけた環境変化により覚醒にいたる場合がある。この環境変化を少なくする点については、上記従来の文献には記載が無い。本考案の枕は、赤ちゃんの就寝時や夜泣き時、抱いて寝かしつける時に使用する寝かしつけ用枕であり、就眠時には保育者は、腕と乳児の頭部との間で寝かしつけ用パッドとして使用し、入眠したらそのまま乳児の姿勢をパッドとして使用した枕を介して保ったまま、寝具上に横たえ、枕として使用可能なパッド用枕を提供することを目的とする。
【課題を解決するための手段】
【０００４】
本考案は、表側地に吸湿性素材よりなる布地を用いて、表側地及び裏側地により長方形の布地袋を形成し、概長方形の対向する長辺中央部を結ぶ中心線を折り目線として二つの袋状部とし、一方の袋状部に折り目線に沿い乳児頭部載置部を囲み充填物が充填され縫着線で切断された半環状の凸部を形成して、裏側地の折り目線の対向短辺に沿って相互に掛け止め可能な掛け止め具を複数個設け、表側地を表面として折り目線において布地袋を２つ折りに折り曲げ掛け止め可能にした乳児寝かしつけ用枕である。乳児の頭部を支える半環状凸部に充填する充填物は、軟質合成樹脂充填物又は吸湿性のある中綿素材を使用する。長方形の布地袋に設けられた掛け止め具は、着脱が容易なベルベットファスナー等を用いることが好ましい。
【考案の効果】
【０００５】
本考案の乳児寝かしつけ用枕は、直接乳児の頭部に触れる部分には、吸湿性の良い綿素材を使用し、頭部周辺には多量の発汗に対応できる充填物を半環状凸部に使用しているので乳児のみでなく、抱いている保育者も発汗が抑制される。しかも、赤ちゃんを抱いて寝かしつけ、平面状の寝具に置く時、寝かしつけ枕ごと布団に寝かし、寝かしつけ用枕をそのまま枕として使用することで、赤ちゃんの睡眠環境変化を少なくすると共に、保護者の体温やぬくもりが新生児寝かしつけ枕に残るので、赤ちゃんの睡眠環境変化を少なくすることが出来、布団に置いた直後に環境の変化を感知して覚醒するということがなく、本考案枕は、枕としての機能と構造を充分備えるので、睡眠時の枕としても好適に使用できる。
【考案を実施するための最良の形態】
【０００６】
本考案の乳児寝かしつけ用枕を、図面によって説明する。図１は、長方形の広げた状態の乳児寝かしつけ用枕を表地側から見た斜視図であり、図２は、図１のＡ−Ａ線断面図である。枕本体１は、長方形の表側布地２、および同型の裏側布地３とよりなる長方形を有し、表側布地２と同型の裏側布地３とを重ね、長方形の対向する長辺中央部を結ぶ中央線を折り目線４とし、折り目線４の両側に袋状部５，６を形成する。折り目線４は、表側布地２、裏地側布地３のずれを防止するため、この折り目線４に沿って両布地を縫着することも出来る。一方の袋状部６に、表側布地２、および裏側布地３を縫着する二本の連続した円弧状縫合線７，８によって形成した中央の乳児の頭部載置部９と半環状部１０を設ける。半環状部１０の内部には充填材１１を充填して、半環状凸部１２を形成する。二本の連続した円弧状縫合線７，８によって中央に形成した乳児の頭部載置部９と半環状部１０は、充填材１１の充填量を適宜選択決定して半環状凸部１２が横抱きにした乳児の頭部に適合する程度の大きさになるよう形成する。
【０００７】
この半環状凸部１２の形状、大きさ及び半環状凸部の数および形状は、任意に変更することができる。即ち、充填材の移動を少なくするために環状部を数区画に区分したり、円弧状縫合線の数又は形状を変更し、比較的フラットな枕本体１としたり、デザイン上の変更を加えることも可能である。また、図４のＡに示すように円弧状縫合線７，８を環状に連続してドーナッツ状凸部を形成したり、図４のＢに示すように円弧状縫合線７，８をそれぞれ折り目線４に接する位置で縫合して、半環状凸部を形成したりすることもできる。
【０００８】
乳児の頭部が接する表側地２としては、吸湿性素材よりなる布地を使用するが、肌触りのよい綿素材を使用し、幾分厚手のタオル地等を使用することが好ましい。半環状凸部に充填する充填物１２は、発汗作用を有する吸湿性の中綿、柔軟な合成樹脂充填物を使用する。合成樹脂充填物としては、パイプ状の例えば、軟質ポリエチレン及びまたはポリプロピレンよりなる直径３〜７ｍｍ、カット長４〜１０ｍｍ、肉厚０．１〜０．５ｍｍのパイプ状詰め物を使用することが出来る。また、ポリスチレン等の発泡ビーズ状詰め物やポリウレタン等も使用可能である。
【０００９】
図１の長方形の裏側布地３の対向する短辺に沿って、裏側布地３に複数の対の掛けとめ具１３ａ，１３ｂ、１４ａ、１４ｂを設ける。掛けとめ具１３ａ、１４ａは、枕本体１を中央部の折り目線４近辺で二つ折りにした際に互いに係合するように、対の掛け止め具１３ｂ、１４ｂを対抗する短辺に沿って設けている。そして、掛け止め具１３ａと１３ｂ、１４ａと１４ｂとをそれぞれ係合することにより本体１に空洞部１５を設ける。空洞部１５には内部に乳児を抱いている保育者の腕Ａを通すことが出来る。掛け止め具としては、各種ボタン、フック、ファスナー等が使用できるが、ベルベットファスナーを用いれば、ベルベットファスナーの一方の長さを長くすることで、乳児寝かしつけ用枕を使用する人の腕の太さに空洞部１５の大きさを任意に調整することが出来、掛け止めも容易であり好ましい。
【００１０】
乳児寝かしつけ用枕を使用する保育者は、腕の上に表地を上面として枕本体１を載せ、掛け止め具１３，１４それぞれ掛合して円筒状の空洞部１５に腕を挿入し、図４に示すように半環状凸部１１が乳児の頭部をとり囲むように乳児を横抱きして寝かしつける。乳児が寝入った際には、寝具上に乳児を横たえると共に、パッド兼用枕の掛け止め具をはずし、又は外さずにそのまま腕を円筒状の空洞部１５からそっと抜き取る。二つ折りした枕本体１は、乳児の頭部に沿う適当な形状と柔らかさを有し、乳児は抱かれている状態から寝具の上に寝かされるまで頭部と枕とは接している状態を保持しているので、そのまま睡眠状態を継続し、新生児、乳児の睡眠を妨げる恐れはない。
【産業上の利用可能性】
【００１１】
上記したように、本考案の乳児寝かしつけ用枕は、直接乳児の肌に触れる部分には、吸湿性の良い綿素材を使用し、多量の発汗に対応できる充填物を使用しているので、赤ちゃんを抱いて寝かしつけて平面状の寝具に置く時、寝かしつけ枕ごと布団に寝かし、環境変化による覚醒を防止すると共に、寝かしつけ用枕をそのまま枕として使用することができて経済的である。
【図面の簡単な説明】
【００１２】
【図１】長方形の広げた状態の乳児寝かしつけ用枕表地側を示す斜視図である。
【図２】図１のＡ−Ａ線断面図である。
【図３】中央部の縫着線近辺で二つ折りにし、折り畳まれた乳児寝かしつけ用枕を示す側面図である。
【図４】Ａは乳児寝かしつけ用枕裏地側の他の実施例を示す部分平面図であり、Ｂは、その他の実施例を示す部分平面図である。
【図５】乳児寝かしつけ用枕の使用状態を示す説明図である。
【符号の説明】
【００１３】
１  枕本体
２  表側地
３  裏側地
４  折り目線  
５  袋状部
６  袋状部  
７  円弧状縫合線            
８  円弧状縫合線        
９  頭部載置部  
１０  半環状部              
１１  充填材  
１２  半環状凸部    
１３，１３ａ  掛け止め具
１４，１４ａ  掛け止め具
１５  空洞部
Ａ  腕 
【図１】
0003134780.tif 000003
【図２】
0003134780.tif 000004
【図３】
0003134780.tif 000005
【図４】
0003134780.tif 000006
【図５】
0003134780.tif 000007